(57)【特許請求の範囲】
【請求項１】
複数のサウンド・チャネルを表すサラウンド・サウンド表示方法であって、
２次元のサラウンド・サウンド・ステージのイメージを表示し、
ステレオ・サウンド・ソースを表し、対応するサウンド・チャネルを有する上記サラウンド・サウンド・ステージのイメージの各サウンド・チャネル用の一連の弧状の曲がった相関メータ・スケールを表示し、
複数の上記対応するサウンド・チャネルの間の相関を表し且つ上記相関メータ・スケールに関連した複数のマーカを表示する
ことを特徴とするサラウンド・サウンド表示方法。
【請求項２】
上記サラウンド・サウンド・ステージ・イメージは、上記表示の所定位置に配置され、上記サウンド・ソースを表すスピーカー・イメージを有することを特徴とする請求項１のサラウンド・サウンド表示方法。
【請求項３】
上記サラウンド・サウンド・ステージ・イメージは、上記表示の中央に配置された聴取者イメージを有することを特徴とする請求項１又は２のサラウンド・サウンド表示方法。
【請求項４】
上記相関メータ・スケールは、各対応サウンド・チャネル用の曲がったスケールを有し、上記曲がったスケールの両端が＋１及び−１であり、これら両端間で相関値を表すことを特徴とする請求項１のサラウンド・サウンド表示方法。
【請求項５】
上記マーカは、各ステレオ・チャネル用のポインタであり、該ポイントの位置が複数の上記対応サウンド・チャネル間の相関を示す相関メータ・スケールに沿うことを特徴とする請求項１のサラウンド・サウンド表示方法。
【請求項６】
上記対応サウンド・チャネル用の上記相関メータ・スケールは、曲がったスケールを有し、該曲がったスケールは、表示の第１部分の中心付近で＋１の値を有し、上記第１部分と直角方向の第２部分で−１の値を有し、上記第１部分及び上記第２部分の間に０の値を有することを特徴とする請求項１のサラウンド・サウンド表示方法。
【請求項７】
上記マーカは、円錐の端を切り取って短くしたくさびであり、少なくとも１個のくさびは、中央オーディオ・ソースを表し且つ固定の幅を有し、上記対応サウンド・チャネルを表す他のくさびは、幅が可変であって、上記対応サウンド・チャネルの間の相関を表すことを特徴とする請求項１のサラウンド・サウンド表示方法。
【発明の詳細な説明】
【０００１】
【発明の属する技術分野】
本発明は、一般に、オーディオ情報の表示に関し、特に、多チャネル・サウンドの振幅及び位相関係などの特性を表示するサラウンド・サウンド表示方法に関する。
【０００２】
【従来の技術】
２つの信号間の相関は、これら２つの信号がどの程度似ているかの目安であり、数学的に表される。振幅スケール（目盛り）を除けばこれら２つの信号が同一の場合、この相関は、正の１である。これら信号が完全に無関係の場合、相関はゼロである。負の単位値（−１）は、これら信号が振幅スケールを除いて同じであるが、逆極性であることを示す。したがって、２つの信号の間の相関は、＋１及び−１の間の任意の値である。
【０００３】
【発明が解決しようとする課題】
多チャネル・サウンドの特性の視覚的な指示を行う試みがなされている。ディー・ケイ・オーディオ社製ＣＤＲ−１６１６型デジタル・オーディオ・マトリクスと共に用いる同社製マスタ・ステージ表示装置ＭＳＤ−６００型は、多チャネル・サウンドに対する分離した図形及びバー・ブラフを表示する。また、リーダー電子工業製５８３６型サラウンド・オーディオ・モニタは、サラウンド・オーディオ・システムの３−１／３−２形式用の多チャネル・サウンドのサウンド・イメージを表示する。しかし、ディー・ケイ・オーディオ社製のＭＳＤマルチチャネル「ジェリ・フィッシュ」の表示には、チャネル間の位相情報や、相対振幅が示されない。また、リーダー工業による多チャネルのリサジュー表示は、有用であるが、その意味を解釈するのが非常に困難であり、サウンド領域の表示を理解するのが容易ではない。
【０００４】
よって、振幅及び位相要素に対する単一の表示で、サラウンド・サウンド・オーディオのプログラム（番組内容）を表す迅速な視覚表示をユーザに与えるサラウンド・サウンド表示が望まれている。
【０００５】
したがって、本発明は、サラウンド・サウンド・システムの位相及び振幅などの相関特性の表示を迅速且つ簡単にユーザに与えることがきるサラウンド・サウンド表示方法を提供するものである。
【０００６】
【課題を解決するための手段】
本発明は、複数のサウンド・チャネルを表すサラウンド・サウンド表示方法であって、２次元のサラウンド・サウンド・ステージのイメージ（１０、２８）を表示し、ステレオ・サウンド・ソースを表し、対応するサウンド・チャネルを有するサラウンド・サウンド・ステージのイメージの各サウンド・チャネル用の一連の弧状の曲がった相関メータ・スケール（１２）を表示し、複数のステレオ・チャネル間の相関を表し且つ相関メータ・スケールに関連したマーカ（１４、１６、１８、２０、２２、２４、２６）を表示する。
【０００７】
本発明による表示は、サウンド・ステージ・イメージを含んでいる。このサウンド・ステージ・イメージは、この表示の所望位置におけるスピーカー・イメージ（画像）、即ち、スピーカー・シンボルと、表示の中心に配置された聴取者のイメージとを含んでいる。ステレオ対の各チャネルに対して、可視でも非可視でもよく、曲がった相関メータ・スケール（相関を示す目盛り）を用いる。例えば、中央に配置されたスケール位置が＋１相関を示し、スケールの中央位置がゼロ相関を示し、聴取者のイメージに対して約９０度（水平方向）であるコーナー付近に配置されたスケールの他端が−１相関を示す。曲がった相関メータ・スケールに対して、複数の対応マーカを用いて、ステレオ対の複数チャネル間の相関量を示す。なお、これらマーカの端から端までの距離、即ち、「幅」は、複数のステレオ・チャネル間の相関を表す。明るさ又は色を用いて、サラウンド・サウンド・システムの各チャネルの振幅を示すこともできる。また、聴取者イメージの方向に伸びるくさびをマーカとして用いてもよい。この場合、くさびの「高さ」が振幅を表し、角度で示す「幅」が位相を表す。
【０００８】
本発明の目的、利点及び新規な特徴は、添付図を参照した以下の説明から明らかになろう。
【０００９】
【発明の実施の形態】
以下、サラウンド・サウンド表示を説明するが、かかる表示は、複数のオーディオ信号の相関値を求めた後、コンピュータ及びソフトウェアの処理により得られる。表示パターンが決まれば、それをどのように表示するかは、当業者にとって容易なことである。本発明は、表示パターン自体と、この表示パターンを用いた表示に特徴がある。図１は、本発明による簡単なステレオ・システム用の図形表示を示す図である。ここでは、左チャネルＬ及び右チャネルＲのみの２チャネル・ステレオ・システムの表示が示されている。「曲がった」相関メータ・スケール１２Ｌ及び１２Ｒは、各チャネルに関連しており、表示の上側のコーナーにある各チャネル用のスピーカー（オーディオ・ソース）のイメージ１０Ｌ及び１０Ｒの正面になっている。これらスピーカー・イメージは、サウンド・ステージのイメージの１種類である。マーカであるポインタ１４Ｌ及び１４Ｒは、夫々相関メータ・スケールに１個ずつ設けられている。これら１対のポインタ１４Ｌ及び１４Ｒの間の距離により表されるイメージの「幅」は、これらチャネル間の位相相関に関連する。完全に相関した左チャネルＬ及び右チャネルＲは、スピーカー・イメージ１０Ｌ及び１０Ｒが表す「サウンド・ステージ」の間の中央（相関メータ・スケールの＋１）にポインタ・イメージを表示する。なお、この中央は、しばしば、疑似中心と呼ばれる。左チャネルＬ及び右チャネルＲの相関が低下すると、ゼロ相関で、パターンがスピーカー・イメージの間の隙間と同じ幅になるまで、マーカ１４Ｌ及び１４Ｒの間の距離が広くなる（相関メータ・スケールが０）。相関が負になると、パターン、即ち、ポインタ１４Ｌ及び１４Ｒの間の距離が、スピーカー・イメージ１０Ｌ及び１０Ｒを越えて、「曲がり」の周囲で外側に広がり、相関メータ・スケールの−１に向かう。なお、図１は、相関値Ｃが＋０．５の場合のポインタ１４Ｌ、１４Ｒを示している。。
【００１０】
曲がった相関メータ・スケール１２Ｌ及び１２Ｒの代わりに、図２〜図４に示すように、ポインタ１４Ｌ及び１４Ｒの間を明るい領域又は色の付いた領域１６Ａ〜１６Ｃで埋めてもよい。これらの場合、領域１６Ａ〜１６Ｃがマーカとなる。なお、図２は、相関値Ｃが０．５の場合であり、図３は、相関値Ｃが０の場合であり、図４は、相関値Ｃが−１の場合である。また、図５〜図８に示すように、ポインタ１４Ｌ及び１４Ｒ間をパターンで埋めたり、異なる形状にしてもよい。これらパターンや、形状がマーカとして作用する。なお、図５は、相関値Ｃ＝−１に対して、マーカに環状リング・パターン１８を用いている。図６では、相関値Ｃ＝−０．５に対して、相関に比例したリング角度パターン２０をマーカとして用いている。図７では、相関値Ｃ＝＋０．５に対して、パイをスライスした形状のパターン２２をマーカとして用いている。図８では、相関値Ｃ＝−１に対して、矩形状リング・パターン２４をマーカとして用いている。
【００１１】
本発明によるパターンは、位相相関の他に、強度又はレベルの相関を表すこともできる。また、５チャネル・システムの場合の図９に示す表示のように、各チャネルに関連した「くさび（ウェッジ）」２６Ｌ、２６Ｒ、２６Ｃ、２６ＬＳ、２６ＲＳであるパターン（マーカ）の輝度又は色によって相関を表してもよい。さらに、また、くさびを振幅メータとして、表示の中央に頭のイメージで表す「聴取者」２８（サウンド・ステージのイメージの１つ）に向かう内側方向にくさびの高さが変化するようにしてもよい。なお、中央チャネルＣのくさび２６Ｃは、他のチャネルとの相対関係、即ち、相関を示すため、その位置及び幅が固定されている。振幅Ａは、中心の聴取者２８に向かう高さを変化させて示す。左チャネルＬ及び右チャネルＲのくさび２６Ｌ及び２６Ｒの内側側部（くさび２６Ｃ側の側部）は固定しているが、外側側部（内側側部の反対側の側部）は、図示のように、不可視又は可視の位相相関メータ・スケール１２Ｌ及び１２Ｒに沿って移動、＋１から−１までの相関を示す。チャネルＬ及びＲの信号の振幅は、くさびの高さが聴取者側に移動することで示す。これらくさびは、本質的には、レベル・バーであり、その幅が複数信号間の位相相関で決まり、その高さが個別信号の振幅で決まる。上述と同じ技法を、表示の下部の左サラウンドＬＳ及び右サラウンドＲＳにも用いる。なお、図９の外側の点線の円（相関メータ・スケール１２）に沿った＋１、０、−１は、夫々の位相相関値の基準を示す。
【００１２】
図１０は、本発明によるサラウンド・サウンド表示の別の実施例を示す。この実施例では、ゼロ相関状態は、左及び右の４５度軸上で中心となったくさび２６Ｌ、２６Ｒで示す。この場合、ゼロ相関は、４５度軸の両側の夫々の０で示す幅を有する。相関が正の場合、くさびの幅が相関メータ・スケール１２Ｌ、１２Ｒに沿って、中央くさび２６Ｃに向かって広がる（内側側部がくさび２６Ｃに向かって移動する）が、反対側（外側）側部は、固定されている。相関が負の場合、中央くさび２６Ｃに対して、くさび２６Ｌ、２６Ｒの外側側部が外側に移動し、９０度軸（水平軸）に向かってくさびが広がる一方、中央くさび２６Ｃ側の側部は固定される。すべての場合において、振幅は、くさびの聴取者方向の高さにより示される。上述と同じ技法が、表示の底部のサラウンド・チャネルＬＳ、ＲＳにも適用される。
【００１３】
図１１は、本発明によるサラウンド・サウンド表示の更に別の実施例を示す。この実施例では、位相情報を全く除去し、チャネル間の振幅関係のみを示す。このパターンは、くさびの幅を固定し、各チャネルの振幅を中央の聴取者方向のくさびの高さを伸ばして示す。これは、基本的には、環状バー・グラフである。オプションとして、くさび２６ＣＳを５．１チャネル・サウンドにおける６番目のチャネルである「低周波数強調」とし、サラウンド・チャネルくさび２６ＬＳ及び２６ＲＳの間の中央の背面側に追加してもよい。
【００１４】
図１〜図１１に示したこれら表示は、サラウンド・サウンド・オーディオ・プログラムの迅速な視覚表示をユーザに与える。図９及び図１０の表示は、単一表示において、振幅及び位相要素の両方の項目を提示しているので、システムのモニタに適する。かかる表示により、位相反転、過激なアンバランス、又はチャネルの喪失が直ちに明らかになる。これら表示を適切に解釈することにより、サウンド領域を視覚イメージで表せる。かかる表示は、従来のバー・グラフやリサジュー・パターンに追加することができるが、これら従来のバー・グラフやリサジュー・パターンで補えるものではない。なお、バー・グラフやリサジュー・パターンは、詳細な分析や、正確な測定に依然必要である。
【００１５】
本発明では、各チャネルからのオーディオ信号をデジタル化し、ステレオ対のオーディオ・チャネル間の相関関係を求めて相関値を得、図１〜図１１に示すような所望の表示機能に応じて相関値をグラフィック表示に変換し、このグラフィック・イメージをグラフィック表示に加え、このグラフィック表示を適切な表示器に周期的に表示することにより、表示データを求めている。このグラフィック表示を１秒当たり６０回更新して、サラウンド・サウンド・オーディオ・プログラムの瞬時的な表示を行う。くさびの内側端部に矢印を用いるなどして、ピーク値を表示してもよい。この表示を行うには、直接的に各チャネルの振幅から求めてもよいし、Ｌ、Ｒ、ＬＳ及びＲＳの間の相関関係から計算しても求まる。このように、Ｌ、Ｒ、ＬＳ及びＲＳの間の相関関係から振幅を計算することは、テクトロニクス社製７６４型デジタル・オーディオ・モニタでも既に行われている。この振幅データをレベル・メータ用に同様に処理して、特性を測定してもよい。また、相関データを滑らかにしてもよい。
【００１６】
本発明は、任意の数の異なるチャネルのシステム、例えば、共通３／１システム（３つの正面チャネルＬ、Ｃ、Ｒ及び１つのサラウンド・チャネルＳ）に適用することもできる。この場合、単に、後方のくさびの幅を固定し、これらくさびをＳチャネルを表すのに用いればよい。これらを組み合わせて、１つの幅のくさびにしてもよい。また、単純なステレオ・システムを７．１チャネル・システムに拡張してもよい。
【００１７】
【発明の効果】
上述の如く、本発明は、「サウンド・ステージ」をスピーカー・イメージ及び聴取者のイメージにより表し、複数のステレオ・チャネルの各チャネルに対して、可視又は非可視状態の相関メータ・スケールを与えて、聴取者方向の高さが振幅を表し、幅が相関又は位相を表すマーカを与えている。よって、本発明では、単一の表示で、各チャネルの振幅情報及び複数のチャネル対の間の位相相関を示すサラウンド・サウンド領域特性を表すことができる。したがって、本発明は、サラウンド・サウンド・システムの位相及び振幅特性の表示を迅速且つ簡単にユーザに与えることがきる。
【図面の簡単な説明】
【図１】本発明による簡単なステレオ・システム用の図形表示を示す図である。
【図２】本発明による簡単なステレオ・システムでの異なる相関値に対する別の図形表示を示す図である。
【図３】本発明による簡単なステレオ・システムでの異なる相関値に対する別の図形表示を示す図である。
【図４】本発明による簡単なステレオ・システムでの異なる相関値に対する別の図形表示を示す図である。
【図５】本発明による環状リング・パターンを用いた簡単なステレオ・システム用の図形表示を示す図である。
【図６】本発明によるリング確度パターンを用いた簡単なステレオ・システム用の図形表示を示す図である。
【図７】本発明によるパイ状スライス・パターンを用いた簡単なステレオ・システム用の図形表示を示す図である。
【図８】本発明による矩形パターンを用いた簡単なステレオ・システム用の図形表示を示す図である。
【図９】本発明による５チャネル・サラウンド・サウンド・システム用の図形表示を示す図である。
【図１０】本発明による５チャネル・サラウンド・サウンド・システム用の別の図形表示を示す図である。
【図１１】本発明による５チャネル・サラウンド・サウンド・システム用の更に別の図形表示を示す図である。
【符号の説明】
１０  スピーカー（サウンド・ステージ）のイメージ
１２  相関メータ・スケール
１４  ポインタ（マーカ）
１６  領域（マーカ）
１８  環状リング・パターン（マーカ）
２０  リング角度パターン（マーカ）
２２  パイをスライスした形状のパターン（マーカ）
２４  矩形状リング・パターン（マーカ）
２６  くさび（マーカ）
２８  聴取者（サウンド・ステージ）のイメージ
【図１】
0003930689.tif 000002
【図２】
0003930689.tif 000003
【図３】
0003930689.tif 000004
【図４】
0003930689.tif 000005
【図５】
0003930689.tif 000006
【図６】
0003930689.tif 000007
【図７】
0003930689.tif 000008
【図８】
0003930689.tif 000009
【図９】
0003930689.tif 000010
【図１０】
0003930689.tif 000011
【図１１】
0003930689.tif 000012